(57)【特許請求の範囲】
【請求項１】
ケース(1)を貫通してゴムブッシュ(2)を連結しており、ゴムブッシュ(2)にリード線(3)を挿通して、リード線(3)をゴムブッシュ(2)を介してケース(1)に連結してなるリード線の取り出し構造において、
ケース(1)が、ゴムブッシュ(2)を連結する部分に突出部(5)を設けており、この突出部(5)は、ゴムブッシュ(2)の連結面を、ケース表面(1A)に対して直角よりも大きな角度に傾斜させてなる傾斜面(5A)としており、この傾斜面(5A)に設けた開口部にゴムブッシュ(2)を貫通して連結しており、
さらに、傾斜面(5A)に設けた開口部に連結してなるゴムブッシュ(2)は、ケース(1)の外側に突出するケース外部分(2A)をケース(1)の表面に沿う方向に折曲しており、
このゴムブッシュ(2)にリード線(3)が挿通されて、リード線(3)がケース表面(1A)に沿う方向に引き出されてなることを特徴とするリード線の取り出し構造。
【請求項２】
傾斜面(5A)をケース表面(1A)に対して約１３５度に傾斜させており、ゴムブッシュ(2)のケース外部分(2A)を約１３５度に折曲してなる請求項１に記載されるリード線の取り出し構造。
【請求項３】
突出部(5)の平面形状がほぼ直角三角形で、直角三角形の斜面に沿う面を傾斜面(5A)としている請求項２に記載されるリード線の取り出し構造。
【発明の詳細な説明】
【０００１】
【発明の属する技術分野】
本発明は、弾性変形するゴムブッシュを介してリード線をケースから引き出すリード線の取り出し構造に関する。
【０００２】
【従来の技術】
ケースは、リード線を引き出す部分にゴムブッシュを連結している。ゴムブッシュは、ケースに設けた開口部に連結されて、ケースを貫通するように装着される。このゴムブッシュは、中心にリード線を挿通して、リード線をケースの取り出し部分で保護する。ゴムブッシュは、リード線と共に弾性変形して、リード線を保護する。
【０００３】
ゴムブッシュは、リード線をケース表面に対して直角な方向に引き出すように設計される。このため、リード線をケース表面と平行に引き出すには、図１と図２に示すように、ケース１の表面に突出部５を設け、突出部５の側面にゴムブッシュ２を装着する必要がある。
【０００４】
【発明が解決しようとする課題】
図１と図２に示すように、突出部５の側面にゴムブッシュ２を装着する構造は、突出部５の内部でリード線３を直角に折曲する必要がある。このため、突出部５を大きくする必要がある。さらに、リード線３を小さい曲率半径で直角に折曲するために、折曲部分においてリード線３に無理な力が作用する。このことは、リード線３を断線させる原因となる。リード線３は、ケース１に連結している部分でとくに断線しやすいので、この部分における断線を、いかにして少なくできるかが極めて大切なことである。さらに、リード線が断線して使用できなくなる故障は、電子機器の故障全体に対して大きな割合を占める。このことから、この部分におけるリード線の断線を少なくすることが極めて大切である。
【０００５】
本発明は、リード線をケースに連結している部分に無理な力を作用させることなく、リード線をケース表面に対して平行に取り出しできるリード線の取り出し構造を提供することを目的に開発されたものである。
【０００６】
さらに、本発明の他の大切な目的は、ケース表面に対してリード線を平行に取り出しして、しかも、ゴムブッシュを連結する部分をコンパクトにできるリード線の取り出し構造を提供することにある。
【０００７】
【課題を解決するための手段】
本発明のリード線の取り出し構造は、ケース１を貫通してゴムブッシュ２を連結している。このゴムブッシュ２にリード線３を挿通して、リード線３はゴムブッシュ２を介してケース１に連結される。
【０００８】
さらに、本発明の請求項１のリード線の取り出し構造は、ケース１のゴムブッシュ２を連結する部分に突出部５を設けている。この突出部５は、ゴムブッシュ２の連結面を、ケース表面１Ａに対して直角よりも大きな角度に傾斜させる傾斜面５Ａとしている。この傾斜面５Ａに開口部に設けて、この開口部にゴムブッシュ２を貫通させて連結している。さらにまた、傾斜面５Ａの開口部に連結しているゴムブッシュ２は、ケース１の外側に突出するケース外部分２Ａを、ケース１の表面に沿う方向に折曲している。ケース外部分２Ａを折曲してなるゴムブッシュ２に、リード線３を挿通して、リード線３は、ケース表面１Ａに沿う方向に引き出されている。
【０００９】
本発明の請求項２に記載しているリード線の取り出し構造は、傾斜面５Ａをケース表面１Ａに対して約１３５度に傾斜させている。また、ゴムブッシュ２のケース外部分２Ａも約１３５度に折曲して、リード線３をケース表面１Ａと平行に取り出している。
【００１０】
さらに、本発明の請求項３のリード線の取り出し構造は、ケース１に設けた突出部５の平面形状を、ほぼ直角三角形としている。突出部５は、直角三角形の斜面に沿う面を傾斜面５Ａとして、ここにゴムブッシュ２を連結している。
【００１１】
【発明の実施の形態】
以下、本発明の実施例を図面に基づいて説明する。ただし、以下に示す実施例は、本発明の技術思想を具体化するためのリード線の取り出し構造を例示するものであって、本発明はリード線の取り出し構造を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
本発明のリード線の取り出し構造は、たとえば、ＣＤプレイヤー、ＤＶＤプレイヤー、テープレコーダー、ＭＤプレイヤー、充電器等の電子機器に利用される。ケースに連結されるリード線は、主として電源コードである。ただ、本発明のリード線の取り出し構造は、リード線を電源コードに特定しない。リード線にはケースから取り出される全てのリード線とすることができる。
【００１４】
図３ないし図７に示すリード線の取り出し構造は、ケース１を貫通するようにゴムブッシュ２を装着している。ゴムブッシュ２は、リード線３を挿通させて、リード線３をケース１に連結している。ゴムブッシュ２は、軟質プラスチック、または天然ゴムあるいは合成ゴムで成形して製作される。ゴムブッシュ２は、中心にリード線３を隙間なく挿通できる中心穴を貫通して設けており、この中心穴にリード線３を挿通させている。ゴムブッシュ２は、所定の形状に成形した後、中心穴にリード線３を挿通して連結する。ゴムブッシュ２は、成形するときにリード線３をインサートして固定することもできる。リード線３をインサートして固定しているゴムブッシュ２は、より確実にリード線３を保持できる特長がある。成形したゴムブッシュ２に、リード線３を挿通するものは、リード線３をゴムブッシュ２の中心穴に接着して、ゴムブッシュ２とリード線３とを連結できる。
【００１５】
ゴムブッシュ２は、ケース１を貫通する部分に、ケース１の開口部に嵌着される嵌着溝４を設けている。ゴムブッシュ２は、嵌着溝４にケース１の開口部の内側縁を嵌着して、抜けないように、ケース１に装着される。ゴムブッシュ２は、嵌着溝４からケース１の内側に短く突出している。さらに、ゴムブッシュ２は、嵌着溝４からケース１の外側には、内側よりも長くケース外部分２Ａとして突出させている。ケース外部分２Ａは、先端に向かって次第に柔軟に変形できるようにしている。
【００１６】
ケース外部分２Ａは、ケース１の近傍で折曲する形状に成形して、リード線３をケース表面１Ａと平行に引き出している。図に示すゴムブッシュ２は、約１３５度に折曲するように成形して、リード線３をケース表面１Ａと平行な方向に引き出している。ゴムブッシュ２のケース外部分２Ａを折曲させる角度αは、ゴムブッシュ２をケース１に装着している傾斜面５Ａの傾斜角度βによって変化する。リード線３を常にケース表面１Ａと平行に取り出ししているからである。
【００１７】
ゴムブッシュ２を装着している傾斜面５Ａの角度βが、１３５度から９０度に近付くにしたがって、ケース外部分２Ａの折曲角度αを大きくし、傾斜面５Ａの角度βが１３５度から１８０度に近付くにしたがって折曲角度αを小さくする。ゴムブッシュ２を装着する傾斜面５Ａのケース表面１Ａに対する角度βは、好ましくは１３５度を中心として、１３５度＋３０度〜１３５度−３０度とするので、ケース外部分２Ａの折曲角度αも、１３５度−３０度〜１３５度＋３０度とする。
【００１８】
ゴムブッシュ２は、折曲部をほとんど変形しないように太く、あるいは硬く成形して、折曲部よりも先端に向かって次第に柔軟に変形しやすいように成形する。ゴムブッシュ２は、薄く成形し、あるいは平行に横スリット６を設けて、より柔軟に変形しやすくできる。
【００１９】
ケース１は、ゴムブッシュ２を連結する部分に突出部５を設けている。突出部５は、ゴムブッシュ２の連結面を、ケース表面１Ａに対して直角よりも大きな角度に傾斜させる傾斜面５Ａとしている。図のケース１は、傾斜面５Ａをケース表面１Ａに対して約１３５度に傾斜させている。この傾斜面５Ａは、ゴムブッシュ２を貫通させる開口部を設けている。開口部は、ゴムブッシュ２の嵌着溝４に嵌着される大きさに開口している。
【００２０】
図に示すケース１は、突出部５の平面形状をほぼ直角三角形として、直角三角形の斜面に沿う面を傾斜面５Ａとしている。さらに、図に示すケース１は、一方の隅部に突出部５を設けて、リード線３をケース１の中央に向かって引き出している。この構造のリード線の取り出し構造は、リード線３をケース１で保護して、断線をより効果的に防止できる特長がある。
【００２１】
ゴムブッシュ２を介してケース１の突出部５に連結されたリード線３は、突出部５の内部で約１３５度折曲されて、あるいは、緩やかに湾曲されて、ケース１に内蔵しているプリント基板等に、直接に半田付けして連結され、あるいはコネクターを介して連結される。
【００２２】
【発明の効果】
本発明のリード線の取り出し構造は、リード線をケースに連結している部分に無理な力を作用させることなく、リード線をケース表面に対して平行に取り出しできる特長がある。それは、本発明のリード線の取り出し構造が、ケースのゴムブッシュを連結する部分に突出部を設けて、ゴムブッシュの連結面を、ケース表面に対して直角よりも大きな角度に傾斜させる傾斜面とすると共に、ゴムブッシュのケースの外側に突出するケース外部分を、ケースの表面に沿う方向に折曲しているからである。この取り出し構造は、ケースから引き出されるリード線を、ケースとの連結部分と、ゴムブッシュのケース外部分の両方で大きな角度に折曲しているので、従来のようにリード線を直角に折曲することなく、いいかえると、リード線に無理な力を作用させることなく、ケース表面に対して平行に取り出しできる特長がある。このように、無理な力が作用しないリード線は、リード線とケースの連結部分における断線が有効に防止される。したがって、本発明のリード線の取り出し構造は、リード線の断線に起因する電子機器の故障を極減して、電子機器を長期間にわたって使用できる特長がある。
【００２３】
さらに、本発明のリード線の取り出し構造は、従来のように、突出部の内部でリード線を小さい曲率半径で直角に折曲しないので、突出部を大きくする必要がない。このため、ゴムブッシュを連結する部分をコンパクトにできる特長も備える。
【図面の簡単な説明】
【図１】従来のリード線の取り出し構造を示す底面図
【図２】図１に示すリード線の取り出し構造の斜視図
【図３】本発明のリード線の取り出し構造を示す底面図
【図４】図３に示すリード線の取り出し構造の平面図
【図５】図３に示すリード線の取り出し構造の背面図
【図６】図３に示すリード線の取り出し構造の側面図
【図７】図３に示すリード線の取り出し構造の斜視図
【符号の説明】
１…ケース              １Ａ…ケース表面
２…ゴムブッシュ        ２Ａ…ケース外部分
３…リード線
４…嵌着溝
５…突出部              ５Ａ…傾斜面
６…横スリット
【図１】
0003706498.tif 000002
【図２】
0003706498.tif 000003
【図３】
0003706498.tif 000004
【図４】
0003706498.tif 000005
【図５】
0003706498.tif 000006
【図６】
0003706498.tif 000007
【図７】
0003706498.tif 000008